(57)【要約】【課題】注出筒から栓体を分離するときに生じる液はね現象を防止して、衛生的で使い勝手のよい薄肉注出容器を提供する。【解決手段】本発明の薄肉容器１は、容器本体２の一部としてその胴部２ａから突出して当該胴部２ａの内側に形成された内部空間Ｒに通じる通路Ｐを形成する注出筒２ｂを有し、当該注出筒２ｂの先端開口２ｃを封止する栓体３が破断予定線４を介して分離可能に一体に連結されてなり、注出筒２ｂに、その通路Ｐを押し潰しにより遮断する一方、当該通路Ｐを押し潰しの解除により復元可能な可撓性部位５を設けた。【選択図】図２
2010105704.tif 000002
【特許請求の範囲】
【請求項１】
容器本体の一部として当該容器本体の胴部から突出する注出筒を有し、当該注出筒の先端開口を封止する栓体が破断予定線を介して分離可能に一体に連結されてなる薄肉注出容器であって、
注出筒に、その通路を押し潰しにより遮断する一方、当該通路を押し潰しの解除により復元可能な可撓性部位を設けたことを特徴とする薄肉注出容器。
【請求項２】
請求項１において、可撓性部位を容器本体の軸線方向から見た形状が前後方向に向かうに従って先細りになる扁平な形状としたことを特徴とする薄肉注出容器。
【発明の詳細な説明】
【技術分野】
【０００１】
本発明は、容器本体の胴部から突出する注出筒に破断予定線を介して栓体を設け、当該栓体を分離することで注出筒の先端開口からの内容物を注出可能とする薄肉注出容器であって、栓体を分離したときに、注出筒の先端開口からの液はね現象を防止するための技術に関するものである。
【背景技術】
【０００２】
従来の薄肉注出容器としては、注出筒の先端開口に破断予定線を介して栓体を連結し、使用の際に、当該栓体を分離することで内容物の注出を可能とするものがある（例えば、特許文献１参照。）
【特許文献１】特開２００５−６７７０５号公報
【発明の開示】
【発明が解決しようとする課題】
【０００３】
しかしながら、こうした従来の薄肉注出容器では、栓体を分離するときに、当該栓体を摘んで切り取るのが一般であるが、破断予定線に沿った切り取りが困難な場合がある。この場合、栓体を注出筒から分離させた瞬間、勢い余って注出筒の先端開口から内容物が飛び散る、所謂、液はね現象を生じることがあった。
【０００４】
本発明は、こうした事実認識に基づいてなされたものであり、その目的とするところは、注出筒から栓体を分離するときに生じる液はね現象を防止して、衛生的で使い勝手のよい薄肉注出容器を提供することにある。
【課題を解決するための手段】
【０００５】
本発明である、薄肉注出容器は、容器本体の一部として当該容器本体の胴部から突出する注出筒を有し、当該注出筒の先端開口を封止する栓体が破断予定線を介して分離可能に一体に連結されてなる薄肉注出容器であって、
注出筒に、その通路を押し潰しにより遮断する一方、当該通路を押し潰しの解除により復元可能な可撓性部位を設けたことを特徴とするものである。
【０００６】
本発明において、容器本体は、薄肉のブロー成形容器は勿論、合成樹脂製のフィルムからなるパウチ容器も含む。
【０００７】
本発明において、可撓性部位を、容器本体の軸線方向から見た形状が前後方向に向かうに従って先細りになる扁平な形状とすることが好ましい。この場合、可撓性部位は、例えば、曲面形状にすることも、角柱形状にすることもできる。
【発明の効果】
【０００８】
本発明によれば、注出筒から栓体を分離するとき、可撓性部位を摘めば、当該可撓性部位が潰れることで注出筒の通路が遮断されることから、栓体を分離するときに勢い余っても注出筒の先端開口からは内容物が飛び散ったりすることがない。加えて、かかる構成によれば、破断予定線の下側にある可撓性部位を摘むので、当該破断予定線を破断させ易い。
【０００９】
従って、本発明によれば、注出筒から栓体を分離するときに生じる液はね現象を防止して、衛生的で使い勝手のよい薄肉注出容器を提供するができる。
【００１０】
特に、可撓性部位を、容器本体の軸線方向から見た形状が前後方向に向かうに従って先細りになる扁平な形状とすれば、当該可撓性部位を摘んだときに、より扁平に近い形状に押し潰すことができるので、注出筒の通路を効率的に遮断することができる。
【発明を実施するための最良の形態】
【００１１】
図１(a),(b)はそれぞれ、本発明の第一の形態であるブロー成形スタンディング薄肉容器（以下、「薄肉容器」という）１を示す側面図及び、栓体を取り外した注出筒を示す要部拡大図である。また、図２(a),(b)はそれぞれ、同形態の作用を説明するための平面図である。
【００１２】
符号２は、薄肉の合成樹脂からなる容器本体２である。容器本体２は、その一部として胴部２ａを有し、この胴部２ａの内側に内容物を充填する内部空間Ｒが形成されている。
【００１３】
本形態に係る容器本体２の胴部２ａは、その横断面形状が、図２に示すように、短手側となる２つの表面と、長手側となる２つの表面とを有する扁平な形状をしている。
【００１４】
符号２ｂは、胴部２ａから突出して当該胴部２aの内側に形成された内部空間に通じる通路Ｐを形成する注出筒である。
【００１５】
符号３は、注出筒２ｂに形成された通路を封止する栓体である。栓体３は、破断予定線４を介して分離可能に一体に連結されている。また、栓体３には、注出筒２ｂから分離するときに用いられる把手部３ａが一体に形成されている。把手部３ａは開口Ａを有し、この開口Ａに指を引っ掛けることができる。但し、把手部３ａは、開口Ａを設けることなく、滑り止め等を形成した把持部とすることもできる。
【００１６】
破断予定線４は、例えば、注出筒２ｂ及び栓体３よりも薄肉に構成することで、外力を付加することで切断することができる。これにより、注出筒２ｂから栓体３を分離させると、図１に示すように、注出筒２ｂの先端に、通路を介して内部空間を外界に通じさせる開口（以下、「先端開口」という）２ｃが形成される。
【００１７】
符号５は、注出筒２ｂの一部を構成し、その通路Ｐを押し潰しにより遮断する一方、当該通路Ｐを押し潰しの解除により復元可能な挟持部としての可撓性部位である。可撓性部位５は、図２(a)に示すように、容器本体の軸線Ｏ方向から見た形状が前後方向（軸線Ｏx）に延在し、前方向及び後方向に向かうに従って先細りになる扁平なほぼ菱形の円柱形状をしてなる。
【００１８】
可撓性部位５は、栓体３を分離する際に用いる補助把手部として機能する。本形態では、可撓性部位５の側面をそれぞれ、平坦な把持面５ｆとして構成している。把持面５ｆを設ければ、使用者が可撓性部位５を把持面５ｆの両側から挟んだとき、可撓性部位５を長手方向軸線Ｏxに沿って扁平に押し潰し易い。
【００１９】
栓体３を分離して注出を行うときには、先ず、図２(b)に示すように、可撓性部位５を、把持面５ｆの両側から挟んで押し潰すことで、注出筒２ｂの通路Ｐを遮断する。次いで、栓体３の把手部３ａに形成された開口Ａに指を引っ掛け、栓体３を引き上げ又は捻れば、破断予定線４に外力が付加されることで、当該破断予定線４が切断されるため、注出筒２ｂから栓体３を分離することができる。これにより、注出筒２ｂの先端には開口（以下、「先端開口」という）２ｃが形成されるため、当該先端開口２ｃからの内容物の注出が可能になる。
【００２０】
このとき、可撓性部位５が押し潰されていることで、通路Ｐは遮断されているため、栓体３を分離するときに勢い余っても注出筒２ｂの先端開口２ｃからは内容物が飛び散ったりすることがない。加えて、かかる構成によれば、破断予定線４の下側にある可撓性部位５を摘むので、当該破断予定線４を破断させ易い。
【００２１】
従って、本発明によれば、注出筒２ｂから栓体３を分離するときに生じる液はね現象を防止して、衛生的で使い勝手のよいブロー成形スタンディング薄肉容器を提供することができる。
【００２２】
特に、可撓性部位５を、容器本体の軸線Ｏの方向から見た形状が前後方向に向かうに従って先細りになる扁平な形状であることから、当該可撓性部位５を摘んだときに、より扁平に近い形状に押し潰すことができるので、注出筒２ｂの通路Ｐを効率的に遮断することができる。
【００２３】
図３(a),(b)はそれぞれ、本発明に係る可撓性部位５の変形例を示す要部平面図及び、同例をその側面から示す要部拡大図である。
【００２４】
本形態に係る、可撓性部位５は、容器本体の軸線Ｏ方向から見た形状が前後方向に向かうに従って先細りになる扁平なほぼ六角形の角柱形状をしてなる。この場合も、第一の形態と同様の効果を得ることができる。
【００２５】
なお、図１の破線で示す符号Ｓは、内容物を充填後の充填口をシールしたシール面である。内容物を充填するときには、容器本体２の下端２ｅから充填口が突出するため、容器本体２を上下逆さまにした状態で内容物の充填を行った後、当該充填口に対してホットシール等を行うことでシール部Ｓを形成する。シール部Ｓは、図１に示すように、容器本体２の下端２ｅに押し込むことで、下端２ｅを接地部としてパウチ容器１を起立させることができる。
【００２６】
上述したところは、本発明の一形態を示したものに過ぎず、薄肉注出容器の用途に応じて様々に設計変更することができる。例えば、容器本体２としては、薄肉のブロー成形容器ではなく、合成樹脂製のフィルムからなるパウチ容器を採用することもできる。なお、パウチ容器の場合には、スパウト付きであるか否かは問わない。
【産業上の利用可能性】
【００２７】
シャンプーやリンス、液体石鹸、化粧料等の内容物を入れておく据え置きタイプの容器としては勿論のこと、内容物を詰め替えるために用いられる容器にも適用させることができる。
【図面の簡単な説明】
【００２８】
【図１】本発明の第一の形態であるブロー成形スタンディング薄肉容器を示す側面図及び、栓体を取り外した注出筒を示す要部拡大図である。
【図２】(a),(b)はそれぞれ、同形態の作用を説明するための平面図である。
【図３】(a),(b)はそれぞれ、本発明に係る可撓性部位の変形例を示す要部平面図及び、同例その側面から示す要部拡大図である。
【符号の説明】
【００２９】
１  ブロー成形スタンディング薄肉容器
２  容器本体
2a  胴部
2b  注出筒
2c  注出栓の先端開口
３  栓体
3a  把手部
４  破断予定線
５  可撓性部位
5f  把持面
【図１】
2010105704.tif 000003
【図２】
2010105704.tif 000004
【図３】
2010105704.tif 000005